(57)【要約】【課題】  従来の環境を改善させることにより植物の生長を促進させる技術においては、マイナスイオンが豊富な環境すると共に、土壌を改善して、植物の生長をより促進させることができるようにすること。【解決手段】  金属製のアンテナと、電源供給装置と、第１の接地電極と、第２の接地電極とを設け、該第１の接地電極は木炭の粉末と、触媒とを収納した金属製の有底筒体であり、該第１の接地電極と、第２の接地電極とを地中に埋設し、該第１の接地電極とアンテナとを接続し、該アンテナと前記電源供給装置とを接続し、該電源供給装置と前記第２の接地電極とを接続し、該電源供給装置から電源を供給して前記アンテナと第１の接地電極との周囲をマイナスイオンが豊富な環境にすると共に、該第１の接地電極と前記第２の接地電極との間に微弱電流を流すことにより土壌を改善させて植物の生長を促進させることにより、マイナスイオンが豊富な環境にできると共に、土壌を改善させることができるため、植物の生長をより促進させることができるようになる。【選択図】図１
2005323542.tif 000002
【特許請求の範囲】
【請求項１】
金属製のアンテナと、電源供給装置と、第１の接地電極と、第２の接地電極とを設け、
該第１の接地電極は木炭の粉末と、触媒とを収納した金属製の有底筒体であり、
該第１の接地電極と、第２の接地電極とを地中に埋設し、
該第１の接地電極とアンテナとを接続し、該アンテナと前記電源供給装置とを接続し、該電源供給装置と前記第２の接地電極とを接続し、
該電源供給装置から電源を供給して前記アンテナと第１の接地電極との周囲をマイナスイオンが豊富な環境にすると共に、該第１の接地電極と前記第２の接地電極との間に微弱電流を流すことにより土壌を改善させて植物の生長を促進させること
を特徴とする植物生長促進システム。
【請求項２】
前記電源供給装置は、
太陽電池または乾電池であること
を特徴とする請求項１に記載の植物生長促進システム。
【発明の詳細な説明】
【技術分野】
【０００１】
本発明は、土壌を改善させることにより植物の生長を促進させる植物生長促進システムに関するものである。
【背景技術】
【０００２】
従来、この種の技術としては、例えば、送風機の空気吹き出し口に導体の網を設ける、または建物の窓及び開口部の網戸部分の網を導体の網にし、この網にアースを設けることで陽イオンを中和するイオン中和装置がある（特許文献１参照）。
【０００３】
この特許文献１の公知技術においては、網にアースを設け、該網に空気を通すことにより、空気中の陽イオンを中和し、例えば、植物栽培において植物の生育を活性化、促進させるというものである。
【０００４】
【特許文献１】実用新案登録第３０６７８８８号公報
【発明の開示】
【発明が解決しようとする課題】
【０００５】
しかしながら、前記特許文献１の公知技術においては、単に網にアースを設けることにより陽イオンを中和する構成であって、その中和力は弱いものであるため、陽イオンを中和してマイナスイオンが豊富な環境を維持することはできないものであり、また、土壌の改善まではできないという問題点を有している。
【０００６】
従って、従来の環境を改善させることにより植物の生長を促進させる技術においては、マイナスイオンが豊富な環境すると共に、土壌を改善して、植物の生長をより促進させることができるようにするということに解決しなければならない課題を有している。
【課題を解決するための手段】
【０００７】
上記した従来例の課題を解決する具体的手段として本発明に係る植物生長促進システムは、金属製のアンテナと、電源供給装置と、第１の接地電極と、第２の接地電極とを設け、該第１の接地電極は木炭の粉末と、触媒とを収納した金属製の有底筒体であり、該第１の接地電極と、第２の接地電極とを地中に埋設し、該第１の接地電極とアンテナとを接続し、該アンテナと前記電源供給装置とを接続し、該電源供給装置と前記第２の接地電極とを接続し、該電源供給装置から電源を供給して前記アンテナと第１の接地電極との周囲をマイナスイオンが豊富な環境にすると共に、該第１の接地電極と前記第２の接地電極との間に微弱電流を流すことにより土壌を改善させて植物の生長を促進させることを最も主要な特徴とする。
【０００８】
この発明において、前記電源供給装置は、太陽電池または乾電池であることを付加的な要件として含むものである。
【発明の効果】
【０００９】
本発明に係る植物生長促進システムは、金属製のアンテナと、電源供給装置と、第１の接地電極と、第２の接地電極とを設け、該第１の接地電極は木炭の粉末と、触媒とを収納した金属製の有底筒体であり、該第１の接地電極と、第２の接地電極とを地中に埋設し、該第１の接地電極とアンテナとを接続し、該アンテナと前記電源供給装置とを接続し、該電源供給装置と前記第２の接地電極とを接続し、該電源供給装置から電源を供給して前記アンテナと第１の接地電極との周囲をマイナスイオンが豊富な環境にすると共に、該第１の接地電極と前記第２の接地電極との間に微弱電流を流すことにより土壌を改善させて植物の生長を促進させることにより、マイナスイオンが豊富な環境にできると共に、土壌を改善させることができるため、植物の生長をより促進させることができるようになるという優れた効果を奏する。
【発明を実施するための最良の形態】
【００１０】
次に、本発明を具体的な実施の形態に基づいて詳しく説明する。
本発明の実施の形態に係る植物生長促進システムの説明図を図１に示してある。植物生長促進システム１は、アンテナ２と、電源供給装置３と、第１の接地電極４と、第２の接地電極５とから構成されている。
【００１１】
アンテナ２は、金属を用いて形成されている。該アンテナ２は、筒状のロッド２ａの下部側を地中に埋設させており、上端側に網状部２ｂを設けている。この網状部２ｂを設けることにより、アンテナ２と周囲空気との接触面積を広くすることができる。
【００１２】
筒状のロッド２ａ内には、導電線６ａが挿通されており、該導電線６ａの一端は網状部２ｂの一部に接続され、該導電線６ａの他端は地中に埋設された第１の接地電極４の一部に接続されている。
【００１３】
この第１の接地電極４は、例えば、ステンレス等の腐食の少ない金属を有底筒体に形成し、その内部に、図示はしていないが、少なくとも木炭の粉末と、触媒とを混合して収納させたものである。
【００１４】
この木炭の粉末としては、例えば、黒炭または白炭等の木炭、好ましくは備長炭等のマイナスイオンを集める効力の高い木炭を使用することが好ましく、該木炭を直径が略１〜５００μｍ程度の粉体、好ましくは直径が略１〜２０μｍ程度の粉体を使用することが好ましい。また、触媒としては、前記木炭の粉末の電気的な触媒として使用できるものであればいずれのものでも良いが、例えば、塩化ナトリウム等を使用することが好ましい。
【００１５】
このように、第１の接地電極４の内部に木炭の粉末と、触媒とを収納させることにより、第１の接地電極４の周囲のプラスイオンを吸着させて、該第１の接地電極４の周囲をマイナスイオンが豊富な環境にすることができると共に、該第１の接地電極４と接続されたアンテナ２の周囲をマイナスイオンが豊富な環境にすることができるようになって、前記第１の接地電極４により直接的に、更に前記アンテナ２により間接的に土壌を改善させることができるようになるのである。
【００１６】
また、導電線６ａの一端が接続された網状部２ｂの一部には、導電線６ｂの一端が接続され、該導電線６ｂの他端は電源供給装置３のマイナス端子側に接続されている。この電源供給装置３としては、例えば、太陽電池等の発電装置または乾電池等を使用することができる。電源供給装置３は、地面上に載置させても良いが、例えば、アンテナ２のロッド２ａに係止させても良い。
【００１７】
電源供給装置３のプラス端子側には、導電線６ｃの一端が接続され、該導電線６ｃの他端は地中に埋設された第２の接地電極５の一部に接続されている。
【００１８】
従って、電源供給装置３は、地中に埋設された第１の接地電極４と、第２の接地電極５とを介して電気回路を構成することから、これら第１の接地電極４と第２の接地電極５との間に微弱電流が流れる、即ち、該第１の接地電極４と第２の接地電極５とを埋設させた地中（土壌）に微弱電流が流れるようになるのである。
【００１９】
このように、第１の接地電極４と第２の接地電極５との間に微弱電流が流れると、該第１の接地電極４に収納された木炭の粉末が活性化されてよりマイナスイオンが豊富な環境にできると共に、土壌が改善されるようになる。この微弱電流が流れることにより土壌が改善される理由については、まだ明らかになっていないが、例えば、雷の多い年には豊作になることがあるように、土壌中の悪玉菌が減少し、善玉菌が繁殖しているものと推察される。因みに、本発明に係る植物生長促進システム１を用いることにより、土壌中のミミズが多く観測されている。
【００２０】
なお、第１の接地電極４は、該第１の接地電極４の底部が地表から略１〜２ｍ程度の深さになるように埋設させれば良く、第２の接地電極５は、該第２の接地電極５の底部が地表から略０．３〜０．７ｍ程度の深さになるように埋設させれば良く、これら第１の接地電極４と第２の接地電極５とは、略０．３〜０．７ｍ程度の間隔をもって埋設させれば良い。
【００２１】
（試験例１）
この試験例１においては、試験区として、本発明に係る植物生長促進システム１を用いた土壌にキュウリとミニトマトとの植物を植えて観察を行い、対象区として、通常の土壌にキュウリとミニトマトとを植えて観察を行った。
【００２２】
この試験例１において８週間後のそれぞれの植物を観察したところ、試験区のキュウリは、対象区のキュウリと比較して、背丈が略５倍、実の長さが略２倍、葉の大きさが略５倍、重さが略３倍であった。また、試験区のミニトマトは、対象区のミニトマトと比較して、背丈が略１．５倍、実の数が略２倍、葉の大きさが略１．３倍であり、更に身の成熟度が早かった。
【００２３】
このように、本発明に係る植物生長促進システム１を用いることにより、植物の生長を促進させることができ、前記土壌を改善する効果については、少なくともアンテナ２から２０ｍの範囲で確認されている。更に、土壌に直接植えない場合、例えば、鉢植えに植物を植えた場合であっても、植物の生長を促進できることが確認されており、この理由としては、アンテナ２の周囲の環境がマイナスイオンが豊富な環境になったため、間接的に鉢植えの土が改善されたものと推察される。
【００２４】
更に、この試験例１において、アンテナ２の周囲の害虫が減少したことから、害虫駆除における農薬（化学薬品等）の使用量を低減でき、農薬を使用しないで植物（農作物）を栽培できることが期待される。
【図面の簡単な説明】
【００２５】
【図１】本発明の実施の形態に係る植物生長促進システム略示的なの説明図である。
【符号の説明】
【００２６】
１  植物生長促進システム
２  アンテナ
２ａ  ロッド
２ｂ  網状部
３  電源供給装置
４  第１の接地電極
５  第２の接地電極
６ａ、６ｂ、６ｃ  導電線
【図１】
2005323542.tif 000003